(57)【要約】【課題】水回り機器への給水ホースの接続手段において、水抜作業が可能で施工性、メンテナンス性に優れたコンパクトな接続装置を提供することを目的とする。【解決手段】本体１７と、水路部材１８と、連結ナット２４と、接続管２１とを備え、前記水路部材１８と前記連結ナット２４で前記接続管２１を挟持して一体化し、水路部材１８と連結ナット２４を本体に同時に螺合可能な構成とすることにより、接続装置の螺合部は１カ所となり、確実に螺合させることができるようになり、さらに、水路部材１８と連結ナット２４と接続管２１との３部品は一体化した状態で本体１７に取り付けることができるので、誤って分解したり、部品の付け忘れを防止することができる。【選択図】図２
2006307875.tif 000002
【特許請求の範囲】
【請求項１】
接続部の内外面に本体内ねじと本体外ねじを螺設した中空構造の本体と、前記本体内面と水密構造を有し前記本体の本体内ねじと螺合可能な水路外ねじを有する中空構造の水路部材と、前記本体の本体外ねじと螺合可能な連結内ねじを有する袋ナット状の連結ナットと、一端に給水ホースを接続するホース接続部を有し前記水路部材の内面と水密構造を有する中空構造の接続管とを備え、前記水路部材と前記連結ナットで前記接続管を挟持して一体化し、水路部材と連結ナットを本体に同時に螺合可能な接続装置。
【請求項２】
水路部材に設けた係合ツメと連結ナットに設けた係合穴を係合して、水路部材と連結ナットを着脱可能に係合一体化する請求項１に記載の接続装置。
【請求項３】
水路部材に円筒状の異物除去フィルターを備えた請求項１または２に記載の接続装置。
【請求項４】
異物除去フィルタ−を外側から内側へ通過する流水経路を形成した請求項３に記載の接続装置。
【請求項５】
水路部材の係合ツメが連結ナットの係合穴から容易に外れないように、連結ナットの周辺に保護カバ−を設けた請求項２〜４いずれか１項に記載の接続装置。
【請求項６】
水路部材に逆止弁を設置した請求項１〜５いずれか１項に記載の接続装置。
【発明の詳細な説明】
【技術分野】
【０００１】
本発明は、洗浄便座等の水回り機器に給水ホースを接続する接続装置に関するものである。
【背景技術】
【０００２】
従来、この種の接続装置は、水道配管から分岐された連結ホ−スを本体へ接続するための連結部と、本体水路部および連結ホ−ス内部の水を抜く目的のために設けられた水抜栓が、それぞれに着脱可能であるように開口部を２箇所設けた構成が一般的である。また、開口部への接続方法としては耐水圧強度に優れたネジ篏合が用いられることが多く、一方の開口部の内周部に雌ねじ、対峙する部品の外周部に雄ねじを形成して、互いを螺合する構成が最も一般的である（特許文献１参照）。
【０００３】
図８は、従来の接続装置における連結ホ−スならびに水抜栓が本体水路部へ接続されている状態を示すものである。本体水路部１の水抜栓側開口部２に水抜栓３が、ネジ構成によって螺合されている。水抜栓３の円筒表面にはメッシュ式のフィルタ−部７が設けられており、フィルタ−部の前後２箇所に取り付けられたＯリング８，９の作用により水抜栓３と本体水路部１は水密な結合が保たれている。水抜栓のフィルタ−部７に対峙するように本体水路部１に設けられた連結ホ−ス側開口部４に、連結ナット５を介して連結ホ−ス６がネジ構成によって螺合され、連結ホ−ス６に取り付けられたＯリング１０の作用により連結ホ−ス６と本体水路部１は水密な結合が保たれている。連結ホ−ス６の上流から供給された水道水は、フィルタ−部７で濾過されて機器本体内に供給されるため、水道配管内に混入している異物が本体水路部内へ侵入することはない。フィルタ−部７の外周に付着した異物は、水抜栓３を機器本体から取り外した後にフィルタ−表面を清掃することで除去することが可能である。
【特許文献１】特開２００１−２００５７０号公報
【発明の開示】
【発明が解決しようとする課題】
【０００４】
しかしながら前記従来の構成では給水部に螺合部が２箇所設けられているため、水道配管から供給される水が漏れないためには２箇所の螺合部が確実に締結されていなければならず、特に近年、一般ユーザーがトイレ装置の配管作業ならびにメンテナンスを自ら行うことが多くなっている現状を踏まえ、より簡単かつ確実な接続方法が望まれている。
【０００５】
水漏れに対して安全な構造とするためにネジ部の螺合を２重にするなどの改良を実施する上で、螺合部を２箇所有していることは部品点数の増加や部品形状の複雑化を伴うために、結果として機器のコンパクト化に対する阻害要因となってしまう。
【０００６】
本発明は、前記従来の課題を解決するもので、水道配管からの給水ホースならびに水抜栓の構成についてシンプルかつ施工性、メンテナンス性に優れ、かつ水漏れの発生の危険性が少なく、コンパクトな形状の接続装置の提供を目的とするものである。
【課題を解決するための手段】
【０００７】
前記従来の課題を解決するために、本発明の接続装置は、本体と、水路部材と、連結ナットと、接続管とを備え、前記水路部材と前記連結ナットで前記接続管を挟持して一体化し、水路部材と連結ナットを本体に同時に螺合可能な構成としたものである。
【０００８】
これにより、接続装置の螺合部は１カ所となり、確実に螺合させることができるようになる。さらに、水路部材と連結ナットと接続管との３部品は一体化した状態で本体に取り付けることができるので、誤って分解したり、部品の付け忘れを防止することができる。
【発明の効果】
【０００９】
本発明の接続装置は、施工性、メンテナンス性に優れ、かつ水漏れの発生の危険性が少なく、コンパクトな形状の接続装置を提供することができる。
【発明を実施するための最良の形態】
【００１０】
第１の発明は、接続部の内外面に本体内ねじと本体外ねじを螺設した中空構造の本体と、前記本体内面と水密構造を有し前記本体の本体内ねじと螺合可能な水路外ねじを有する中空構造の水路部材と、前記本体の本体外ねじと螺合可能な連結内ねじを有する袋ナット状の連結ナットと、一端に給水ホースを接続する接続部を有し前記水路部材の内面と水密構造を有する中空構造の接続管とを備え、前記水路部材と前記連結ナットで前記接続管を挟持して一体化し、水路部材と連結ナットを本体に同時に螺合可能な構成とすることにより、一体化した状態の水路部材と連結ナットと接続管の３部品を本体の接続部に設けた本体内ねじと本体外ねじを介して本体に一度に取り付けあるいは取り外しが可能となり、水道配管から分岐された給水ホ−スを１カ所の接合部に集約して接続することで、接続装置コンパクト化でき、部材を一体化することにより施工もしくはメンテナンス作業を、より簡単かつ確実に実施することができる。
【００１１】
第２の発明は、特に、第１の発明において、水路部材に設けた係合ツメと連結ナットに設けた係合穴を係合して、水路部材と連結ナットを着脱可能に係合一体化することにより、水路部材と連結ナットと接続管の３部品は着脱可能に一体化することができるので、部品の交換やメンテナンスが容易に行うことができる。
【００１２】
第３の発明は、特に、第１または第２の発明の水路部材に円筒状の異物除去フィルターを備えたことにより、ホ−スから供給される水道水が水路部材の内部を通過する際に、異物除去フィルタ−で水道水に含まれる異物を除去することができるので、接続した器具への異物の流入を阻止できるため、器具の損傷や機能の低下を防止することができる。
【００１３】
第４の発明は、特に、第３の発明の異物除去フィルタ−を外側から内側へ通過する流水経路を形成することにより、フィルターにに付着する異物は円筒状のフィルターの外面に付着することとなり、フィルタ−に付着した異物の清掃がフィルタ−の外側方向から容易に行えるものである。
【００１４】
第５の発明は、特に、第２〜４のいずれか１つの発明において、水路部材の係合ツメが連結ナットの係合穴から容易に外れないように、連結ナットの周辺に保護カバ−を設けたことにより、不用意に水路部材と連結ナットの係合が外れることが防止できることとなり、ユ−ザ−が誤って分解したり、部品を紛失することを防止することができる。
【００１５】
第６の発明は、特に、第１〜５の発明の水路部材に逆止弁を設置したことにより、断水が発生したときに器具から給水ホースへの逆流を防止することができ、しかも水路部材は取り外し可能であるため、部品の交換やメンテナンスを容易に行うことができる。
【００１６】
以下、本発明の実施の形態について、図面を参照しながら説明する。なお、この実施の形態によって本発明が限定されるものではない。
【００１７】
（実施の形態１）
図１は本発明の実施の形態１における接続装置をトイレの洗浄便座に設置した状態の外観斜視図を示し、図２は本発明の実施の形態１における接続装置の断面図を示すものである。
【００１８】
図１、図２において、洗浄便座の便座本体１１は、便器１２の後部上面に横長に設けられ、本体１１は、用便後などに人体の局部を温水で洗う洗浄手段１３を備えており、洗浄に使用する水は水道配管１４から分岐された給水ホ−ス１５より本発明の接続装置１６を介して洗浄便座の本体１１に供給している。
【００１９】
接続装置１６の本体１７は樹脂製の略円筒形状の先端側面には便座本体１１に接続する接続口１７ａを備え、他端の内面には本体内ねじ１７ｂが形成してあり、外面には本体外ねじ１７ｃが形成してある。
【００２０】
本体１７に挿入した樹脂製の水路部材１８は略円筒形状で外周には溝１８ａと前記本体内ねじ１７ｂと螺合する水路外ねじ１８ｂが形成してあり、溝１８ａにはＯリング１９が嵌入してあり、本体１７の内面と水密構造を形成している。また、水路部材１８の先端部には網状のフィルター２０が設置してあり、他端部は直径が大きくなっており、その先端には鉤状の係合ツメ１８ｃが形成してある。
【００２１】
水路部材１８に挿入した接続管２１は中央に通水用穴２１ａを備え外周に２本の溝２１ｂが形成してあり、溝２１ｂにはＯリング２２が嵌入してあり、水路部材１８の内面と水密構造を形成している。また接続管２１の一端にはホース接続部２１ｃが形成してあり、ホース接続部２１ｃの元の部分にはフランジ２１ｄが一体で形成してある。ホース接続部２１ｃには給水ホース１５が挿入してあり外周をスリーブ２３でカシメ固定してある。
【００２２】
樹脂製の連結ナット２４は略袋ナット状の形状であり、本体１７の本体外ねじ１７ｂに螺合する連結内ねじ２４ａを先端部に備え、側面部に前記係合ツメ１８ｃと着脱自在に係合する係合穴２４ｂが設けてある。
【００２３】
接続管２１を水路部材１８に挿入し連結ナット２４を被装し係合ツメ１８ｃと係合穴２４ｂに係合することで、水路部材１８と連結ナット２４で接続管２１のフランジ２１ｄを挟持し一体化されている。
【００２４】
以上のように構成された接続装置について、以下その動作、作用を説明する。
【００２５】
給水ホース１５を挿入しカシメ固定した接続管２１を水路部材１８に挿入し連結ナット２４を被装し係合ツメ１８ｃと係合穴２４ｂに係合することで、水路部材１８と連結ナット２４で接続管２１を挟持し一体化された状態となり、この状態で接続管２１の溝２１ｂに嵌入したＯリング２２と水路部材１８の内面と水密構造を形成している。
【００２６】
上記一体化した水路部材１８と接続管２１と連結ナット２４を本体１７に挿入し、連結ナット２４を本体１７にねじ込むことにより、水路部材１８も一緒に回動し本体１７の本体内ねじ１７ｂに螺合される。
【００２７】
この状態で水路部材１８の溝１８ａに嵌入したＯリング１９は本体１７の内面と水密構造を形成しており、給水ホース１５、接続管２１、水路部材１８、本体１７の流路は全て外部と遮断された水密構造を形成している。
【００２８】
また、この状態で通水すると、水路部材１８の先端部に設けた網状のフィルター２０で水道水に含まれる異物を除去することができる。
【００２９】
また、洗浄便座の本体１１内の残留水を水抜きするとき、あるいはフィルター２０に蓄積された異物を清掃するときは連結ナット２４をゆるめて引き抜くことにより、水路部材１８と接続管２１と連結ナット２４は一緒に取り外すことができ、洗浄便座の本体１１内の残留水を水抜きすることができ、またフィルターの清掃もできる。
【００３０】
以上のように、本実施の形態においては、従来は水道配管からの連結ホースの接続部と、器具の水を抜く目的のために設ける水抜栓のための接続部の２箇所が別々に必要であったのに対して、接続部を１カ所に集約することで、部品形状を簡素化することができ、結果として接続装置全体をコンパクト化できるという効果を奏することができる。
【００３１】
また、従来水抜栓を着脱するために設けなければならなかった開口部が不要のため、機器の外観意匠に関しても制約が少なく自由度が大きくなるという利点を有している。
【００３２】
また、接続部が１カ所であることから、ユーザーが接続装置のメンテナンス作業を実施する場合においても、１カ所の接続部のみを水漏れなきように確実に接続固定すればよいため、施工上の信頼性を向上させることが可能である。しかも、本体１７の本体内ねじまたは本体外ねじのどちらか一方の螺合が不十分であったり、たとえ破損しても、給水ホースが外れることがなく、しかも水密構造が損なわれることがなく極めて安全性が高い。
【００３３】
さらに製造工程において実施するシール性確認検査などにおいても１箇所分の検査工程のみでよいため、工数削減によって製造コストを抑えることが可能であるという特徴も有している。
【００３４】
（実施の形態２）
図３は本発明の実施の形態２における接続装置の断面図である。
【００３５】
本実施の形態が実施の形態１と異なる点は、水路部材２５の先端部に設けた網状のフィルター２６の上流側に分流板２６ａを設けることにより、水流が円筒形のフィルター２６の外側から内側に流れるような構成とした点である。また、フィルター部２６を介さずに下流側へ水が混入しないために、水路部材２５の先端部に溝２５ａ設け、Ｏリング２７を嵌入している。
【００３６】
実施の形態１と同一符号のものは同一構造とし、再度の説明は省略する。
【００３７】
上記構成とすることにより、給水ホースより供給された水道水は接続装置の内部へ導入され、フィルターで異物を除去されるが、実施の形態１においては、フィルターの円筒内側に異物が付着するため、異物除去するためには部品を分解して水抜栓の内側を清掃しなければならないため、大変困難であったが、本実施形態においては円筒形フィルターの外側から内側に水が流れるため、異物は全てフィルターの外側に蓄積するため、異物の除去を容易に行うことができるものである。
【００３８】
（実施の形態３）
図４は本発明の実施の形態３における接続装置の断面図である。
【００３９】
本実施の形態が実施の形態２と異なる点は、水路部材２８の先端部に設けた網状のフィルター２９の上流側に設けた分流板２９ａの中央部に円錐突起２９ｂを設けた点である。
【００４０】
実施の形態１また２と同一符号のものは同一構造とし、再度の説明は省略する。
【００４１】
上記構成とすることにより、分流板の中央部でよどみ点となり水道水の中に混入した異物が堆積しやすい部分に円錐突起を設けることにより、よどみ点の発生を抑制し、分流板表面に異物付着しにくいという効果を有することができる。また円錐突起は水流の整流作用も有しており、水流の乱れによって発生する通水時の騒音を低減させる効果も有している。
【００４２】
（実施の形態４）
図５は本発明の実施の形態４における接続装置の断面図である。
【００４３】
本実施の形態が実施の形態３と異なる点は、連結ナット３０の形状において、係合穴３０ａの外周辺に保護カバー３０ｂを設けた構造としている点である。
【００４４】
実施の形態１〜３と同一符号のものは同一構造とし、再度の説明は省略する。
【００４５】
このような構造により、外部から加わった衝撃やいたずら等を含む故意の操作によって連結ナット３０と水路部材の係合が容易に外れることがなく、非常に安全であるという利点を有している。
【００４６】
（実施の形態５）
図６は本発明の実施の形態５における接続装置の断面図である。
【００４７】
本実施の形態が実施の形態４と異なる点は、水路部材３１の先端部に逆流を防止するための逆止弁３２が内蔵している点である。
【００４８】
実施の形態１〜４と同一符号のものは同一構造とし、再度の説明は省略する。
【００４９】
このような構造により、機器より給水ホースおよび水道配管への汚水の逆流を防止することができ、水道法および環境衛生面において適合した器具とすることが可能である。
【００５０】
（実施の形態６）
図７は本発明の実施の形態６における接続装置の断面図である。
【００５１】
本実施の形態が実施の形態４と異なる点は、水路部材３３の先端部に設けた逆止弁３４が分離可能な構造となっている。
【００５２】
実施の形態１〜５と同一符号のものは同一構造とし、再度の説明は省略する。
【００５３】
このように逆止弁を取り外し可能な構造にすることによって、部品の補修・点検が容易であるという利点を有している。また逆止弁の補修・点検をするためには連結ナットを外すだけでよいため、メンテナンス性にも優れている。
【産業上の利用可能性】
【００５４】
以上のように、本発明にかかる接続装置は流水経路の接続を簡単にまた確実に構成することができるので、油、薬品等の他の流体や気体の流路の接続の用途にも適用できる。
【図面の簡単な説明】
【００５５】
【図１】本発明の実施の形態１における接続装置を洗浄便座に設置した状態の斜視図
【図２】本発明の実施の形態１における接続装置の断面図
【図３】本発明の実施の形態２における接続装置の断面図
【図４】本発明の実施の形態３における接続装置の断面図
【図５】本発明の実施の形態４における接続装置の断面図
【図６】本発明の実施の形態５における接続装置の断面図
【図７】本発明の実施の形態６における接続装置の断面図
【図８】従来の接続装置の断面図
【符号の説明】
【００５６】
１５  給水ホース
１６  接続装置
１７  本体
１７ｂ  本体内ねじ
１７ｃ  本体外ねじ
１８、２５、２８、３１、３３  水路部材
１８ｂ  水路外ねじ
１８ｃ  係合ツメ
２０、２６、２９、  フィルター
２１  接続管
２１ｃ  ホース接続部
２４、３０  連結ナット
２４ａ  連結内ねじ
２４ｂ、３０ａ  係合穴
２６ａ、２９ａ  分流板
３０ｂ  保護カバー
３２、３４  逆止弁
【図１】
2006307875.tif 000003
【図２】
2006307875.tif 000004
【図３】
2006307875.tif 000005
【図４】
2006307875.tif 000006
【図５】
2006307875.tif 000007
【図６】
2006307875.tif 000008
【図７】
2006307875.tif 000009
【図８】
2006307875.tif 000010